(57)【要約】【課題】赤外線リモコンの搬送周波数とインバータの発振周波数との間に生じる干渉により、液晶表示装置におけるリモコン感度やインバータの変換効率が落ちるといった課題があった。【解決手段】蛍光管からなるバックライト６と、インバータ発振周波数に基づき、バックライトを駆動するインバータ駆動部４と、リモコン信号を受信し、受信したリモコン信号を復調するリモコン信号変換部２と、復調されたリモコン信号からリモコン信号の搬送周波数を検出し、検出したリモコン信号の搬送周波数に基づき、インバータ発振周波数を制御する制御部３と、からなるバックライト駆動制御装置１００。【選択図】図１
2012238526.tif 000002
【特許請求の範囲】
【請求項１】
蛍光管からなるバックライトと、
インバータ発振周波数に基づき、前記バックライトを駆動するインバータ駆動部と、
リモコン信号を受信し、前記受信したリモコン信号を復調するリモコン信号変換部と、
前記復調されたリモコン信号から前記リモコン信号の搬送周波数を検出し、前記検出したリモコン信号の搬送周波数に基づき、前記インバータ発振周波数を制御する制御部と、
からなるバックライト駆動制御装置。
【請求項２】
前記制御部は、
前記インバータ発振周波数と前記検出したリモコン信号の搬送周波数とから、前記インバータ発振周波数が前記検出したリモコン信号の搬送周波数に影響を与えると判断した場合、
前記インバータ発振周波数を第一のインバータ発振周波数から第二のインバータ発振周波数に切り替える制御を行う
ことを特徴とする請求項１記載のバックライト駆動制御装置。
【請求項３】
前記制御部は、
前記インバータ発振周波数が影響を与えると判断したリモコン信号の発信周波数が検出されなくなると、
前記インバータ発振周波数を第二のインバータ発振周波数から第一のインバータ発振周波数に切り替える制御を行う
ことを特徴とする請求項２記載のバックライト制御装置。
【請求項４】
インバータ発振周波数に基づき蛍光管からなるバックライトを駆動するバックライト駆動制御装置におけるインバータ発振周波数制御方法において、
リモコン信号を受信し、前記受信したリモコン信号を復調する復調ステップと、
前記復調されたリモコン信号から前記リモコン信号の搬送周波数を検出し、前記検出したリモコン信号の搬送周波数に基づき、前記インバータ発振周波数を制御する制御ステップと、
からなるバックライト駆動制御装置におけるインバータ発振周波数制御方法。
【発明の詳細な説明】
【技術分野】
【０００１】
本発明は、バックライトを駆動するインバータ発振周波数の制御技術に関する。
【背景技術】
【０００２】
一般に、液晶表示装置において、リモコン受光素子は、ユーザーインターフェース（例えば、赤外線リモコン）により近い位置である液晶表示装置の前面下部に配置されることが多い。そのため、リモコン受光素子に向け送信されるリモコン信号の搬送周波数は、液晶表示装置の蛍光管の影響や液晶表示装置の蛍光管を駆動するインバータの発振周波数の影響を受けやすい。
【０００３】
インバータの発振周波数は、そのスイッチング周波数が低すぎる場合、インバータのスイッチング損失が増えインバータの変換効率が低下し、反対に、そのスイッチング周波数が高すぎる場合には、蛍光管と蛍光管周辺の金属との浮遊容量により高周波成分が漏れ（言い換えると、漏れ電流が増え）、インバータの変換効率が低下する。そのため、インバータは、インバータの変換効率を考慮した最も効率の良い発振周波数に設計される。
【０００４】
一方、赤外線リモコンからの搬送波周波数は、一般的には３６．７ｋＨｚである。
【０００５】
インバータの発振周波数は、この赤外線リモコンの搬送波周波数に近い周波数になると赤外線リモコンの搬送波周波数に干渉を及ぼし、赤外線リモコンの搬送波の到達距離が短くなるなどの影響を及ぼす場合がある。したがって、その干渉を防ぐべく、インバータの発振周波数は、３６．７ｋＨｚの赤外線リモコンの搬送波周波数に近づけないように、４５ｋＨｚ〜５５ｋＨｚに設定されるような対応がなされている。
【先行技術文献】
【特許文献】
【０００６】
【特許文献１】特開平１０−１２３９３号公報
【発明の概要】
【発明が解決しようとする課題】
【０００７】
しかしながら、前記に示す特許文献１では、赤外線リモコンの搬送周波数が３６．７ｋＨｚの時には有効であるが、ホテルなどの使用条件下において、赤外線リモコンの搬送周波数として３８ｋＨｚや４０ｋＨｚの搬送周波数が用いられることがある。赤外線リモコンの搬送周波数として３８ｋＨｚや４０ｋＨｚの搬送周波数が用いられると、赤外線リモコンの搬送周波数がインバータの発振周波数に近づくことで、赤外線リモコンの搬送周波数とインバータの発振周波数との間に干渉が生じ、赤外線リモコンの搬送波の到達距離が不足する可能性がある。
【０００８】
赤外線リモコンの搬送周波数とインバータの発振周波数との間の干渉を避けるため、インバータの発振周波数を赤外線リモコンの搬送周波数との干渉が生じない周波数まで常時あげる対策が考えられるが、上述した外部金属間の浮遊容量による漏れ電流が増加することによりインバータの変換効率が低下し、トランス等の部品の発熱や液晶表示装置の消費電力が増加する等の問題が発生する。
【０００９】
本発明は、前記従来の課題を解決するもので、赤外線リモコンの搬送波の到達距離の不足を防止しつつ、インバータの変換効率の低下を軽減するバックライト駆動制御装置およびそのインバータ発振周波数制御方法を提供することを目的とする。
【課題を解決するための手段】
【００１０】
前記従来の課題を解決するために、本発明のバックライト駆動制御装置は、蛍光管からなるバックライトと、インバータ発振周波数に基づき、前記バックライトを駆動するインバータ駆動部と、リモコン信号を受信し、前記受信したリモコン信号を復調するリモコン信号変換部と、前記復調されたリモコン信号から前記リモコン信号の搬送周波数を検出し、前記検出したリモコン信号の搬送周波数に基づき、前記インバータ発振周波数を制御する制御部と、からなる。
【００１１】
また、本発明のバックライト駆動制御装置におけるインバータ発振周波数制御方法は、インバータ発振周波数に基づき蛍光管からなるバックライトを駆動するバックライト駆動制御装置におけるインバータ発振周波数制御方法において、リモコン信号を受信し、前記受信したリモコン信号を復調する復調ステップと、前記復調されたリモコン信号から前記リモコン信号の搬送周波数を検出し、前記検出したリモコン信号の搬送周波数に基づき、前記インバータ発振周波数を制御する制御ステップと、からなる。
【００１２】
本発明のバックライト駆動制御装置およびそのインバータ発振周波数制御方法によれば、検出したリモコン信号の搬送周波数に基づきインバータ発振周波数を制御するので、赤外線リモコンの搬送波の到達距離の不足を防止しつつ、インバータの変換効率の低下を軽減することが可能となる。
【発明の効果】
【００１３】
以上、本発明のバックライト駆動制御装置およびそのインバータ発振周波数制御方法によれば、検出したリモコン信号の搬送周波数に基づきインバータ発振周波数を制御するので、赤外線リモコンの搬送波の到達距離の不足を防止しつつ、インバータの変換効率の低下を軽減することが可能となる。
【図面の簡単な説明】
【００１４】
【図１】本発明の実施例１に係るバックライト駆動装置の構成を示すブロック図
【図２】本発明の実施例１に係るバックライト駆動装置のリモコン信号変換部の各部から出力される信号波形を示した図
【図３】本発明の実施例１に係るバックライト駆動装置の動作を示すフローチャート
【発明を実施するための形態】
【００１５】
以下、本発明を実施するための一実施の形態について、図面を参照しながら説明する。
【実施例１】
【００１６】
図１は、本発明の実施例１に係るバックライト駆動装置の構成を示すブロック図であり、例えば、液晶表示装置に組み込まれる。また、図２は、本発明の実施例１に係るバックライト駆動装置のリモコン信号変換部の各部から出力される信号波形を示した図である。
【００１７】
バックライト駆動装置１００は、リモコン信号変換部１、赤外線リモコン２、制御部３、インバータ駆動部４、液晶パネルモジュール５および蛍光管６からなる。
【００１８】
リモコン信号変換部１は、赤外線リモコン２からリモコン信号を受信し、受信したリモコン信号の復調やリモコンコード信号への変換等の所定の処理を行い、復調したリモコン信号およびリモコンコード信号を制御部３に渡す。
【００１９】
赤外線リモコン２は、ユーザの選局操作等に基づきリモコン信号を生成し、生成したリモコン信号をリモコン信号変換部１に送信する。
【００２０】
制御部３は、リモコン信号変換部１から受信したリモコンコード信号に基づき、例えば液晶表示装置のチューナ（図示せず）等を制御し、液晶表示装置の選局動作を制御する。また、制御部３は、復調されたリモコン信号から、赤外線リモコン２のリモコン信号の搬送周波数を検出し、検出したリモコン信号の搬送周波数に基づき、インバータ駆動部４のインバータの発振周波数を制御する。
【００２１】
インバータ駆動部４は、インバータの変換効率を考慮した最適なインバータ発振周波数を保持し、該保持しているインバータの発振周波数に基づき、液晶パネルモジュール５に組み込まれている蛍光管６の点灯・消灯の駆動を制御する。インバータ駆動部４のインバータ発振周波数は、制御部３により制御される。
【００２２】
液晶パネルモジュール５は、蛍光管６や液晶パネル（図示せず）を組み込んだモジュールである。
【００２３】
蛍光管６は、例えば、ＣＣＦＬ（Ｃｏｌｄ  Ｃａｔｈｏｄｅ  Ｆｌｕｏｒｅｓｃｅｎｔ  Ｌａｍｐ；冷陰極蛍光管）である。蛍光管６の点灯・消灯の駆動は、インバータ駆動部４のインバータ発振周波数に基づき制御される。
【００２４】
リモコン信号変換部１は、さらに、リモコン受光素子１１、Ｉ−Ｖ変換回路１２、アンプ１３、ＢＰＦ（Ｂａｎｄ  Ｐａｓｓ  Ｆｉｌｔｅｒ）１４、復調回路１５、積分回路１６、比較器１７およびエミッターフォロワ回路１８からなる。
【００２５】
リモコン受光素子１１は、赤外線リモコン２からリモコン信号を受信し、受信したリモコン信号を電流信号に変換する。Ｉ−Ｖ変換回路１２は、リモコン受光素子１１で変換された電流信号を電圧信号に変換する。アンプ１３は、Ｉ−Ｖ変換回路１２で変換された電圧信号を増幅させる（図２（ａ））。ＢＰＦ１４は、アンプ１３で増幅された電圧信号を、例えば、３６．７ｋＨｚで帯域制限する（図２（ｂ））。復調回路１５は、ＢＰＦ１４で帯域制限された信号（以降、リモコン信号と称す）を復調し（図２（ｃ））、復調されたリモコン信号を積分回路１６および制御部３に出力する。積分回路１６（図２（ｄ））および比較器１７は、復調されたリモコン信号から３６．７ｋＨｚ成分を除去し、リモコンコード信号に変換する。エミッターフォロワ回路１８は、積分回路１６および比較器１７で３６．７ｋＨｚ成分が除去され変換されたリモコンコード信号を波形成形し（図２（ｅ））、波形成形したリモコンコード信号を制御部３に出力する。
【００２６】
図３は、本発明の実施例１に係るバックライト駆動装置の動作を示すフローチャートである。以下、図１および図３を用いて、バックライト駆動装置の動作を詳細に説明する。
【００２７】
制御部３は、復調回路１５で復調されたリモコン信号を受信すると（ステップＳ３１でＹｅｓ）、受信したリモコン信号の搬送波の立ち上がりあるいはたち下がりエッジをカウントし、リモコン信号の搬送周波数を検出する。なお、制御部３は、復調回路１５から復調されたリモコン信号が検出されない場合（ステップＳ３１でＮｏ）、インバータ駆動部４が保持する最適なインバータ発振周波数（第一のインバータ発振周波数）を維持し（ステップＳ３４）、インバータ駆動部４は、保持する最適なインバータ発振周波数（第一のインバータ発振周波数）に基づき、液晶パネルモジュール５に組み込まれている蛍光管６の点灯・消灯の駆動を制御する。
【００２８】
次に、制御部３は、インバータ駆動部４が保持する最適なインバータ発振周波数（第一のインバータ発振周波数）が、検出したリモコン信号の搬送周波数に影響を与える周波数であるか否かを判断する。より詳細には、制御部３は、リモコン信号の搬送周波数に影響を与えるインバータ発振周波数を閾値として保持しており、検出したリモコン信号の搬送周波数が該閾値よりも大きいか否かを判断する（ステップＳ３２）。リモコン信号の搬送周波数に影響を与えるインバータ発振周波数は、一般的には、リモコン信号の搬送周波数から５ｋＨｚ以上離れていることが望ましいが、リモコン信号変換部２のＢＰＦの帯域の性能や蛍光管６の温度特性によるスプリアス周波数等による影響を考慮して、決定される。なお、インバータ発振周波数がリモコン信号の搬送周波数に影響を与えるとは、例えば、インバータ発振周波数がリモコンの搬送波周波数に近い周波数になるとリモコン信号の搬送波周波数に干渉を及ぼし、赤外線リモコン２の搬送波の到達距離が短くなるなどの影響を及ぼすことである。
【００２９】
制御部３は、インバータ駆動部４が保持する最適なインバータ発振周波数（第一のインバータ発振周波数）が、検出したリモコン信号の搬送周波数に影響を与える周波数であると判断すると（ステップＳ３２でＹｅｓ）、インバータ駆動部４が保持する最適なインバータ発振周波数（第一のインバータ発振周波数）を、検出したリモコン信号の搬送周波数に影響を与えない周波数（第二のインバータ発振周波数）に変換する（ステップＳ３３）。
【００３０】
インバータ駆動部４は、制御部３が変換した、検出したリモコン信号の搬送周波数に影響を与えない周波数（第二のインバータ発振周波数）に基づき、液晶パネルモジュール５に組み込まれている蛍光管６の点灯・消灯の駆動を制御する。
【００３１】
なお、制御部３は、インバータ駆動部４が保持する最適なインバータ発振周波数（第一のインバータ発振周波数）が、検出したリモコン信号の搬送周波数に影響を与えない周波数であると判断すると（ステップＳ３２でＮｏ）、インバータ駆動部４が保持する最適なインバータ発振周波数（第一のインバータ発振周波数）を維持し（ステップＳ３４）、インバータ駆動部４は、保持する最適なインバータ発振周波数（第一のインバータ発振周波数）に基づき、液晶パネルモジュール５に組み込まれている蛍光管６の点灯・消灯の駆動を制御する。
【００３２】
その後、制御部３は、復調回路１５で復調されたリモコン信号が一定期間（例えば、２００μｓ）検出されない場合（ステップＳ３１でＮｏ）、変換した、検出したリモコン信号の搬送周波数に影響を与えない周波数（第二のインバータ発振周波数）を、インバータ駆動部４が保持する最適なインバータ発振周波数（第一のインバータ発振周波数）に再度変換する（ステップＳ３４）。また、制御部３は、復調回路１５で復調されたリモコン信号を再度検出しても（ステップＳ３１でＹｅｓ）、インバータ駆動部４が保持する最適なインバータ発振周波数（第一のインバータ発振周波数）が、再度検出した、復調回路１５で復調されたリモコン信号に影響を与えないと判断すると（ステップＳ３２でＮｏ）、変換した、検出したリモコン信号の搬送周波数に影響を与えない周波数（第二のインバータ発振周波数）を、インバータ駆動部４が保持する最適なインバータ発振周波数（第一のインバータ発振周波数）に再度変換する（ステップＳ３４）。
【００３３】
インバータ駆動部４は、制御部３が再度変換した、インバータ駆動部４が保持する最適なインバータ発振周波数（第一のインバータ発振周波数）に基づき、液晶パネルモジュール５に組み込まれている蛍光管６の点灯・消灯の駆動を制御する。
【００３４】
なお、一般的には、赤外線リモコン２は同一のものが使用されることが多いので、バックライト駆動装置１００が電源ＯＮされた後、一度、インバータ駆動部４が保持する最適なインバータ発振周波数（第一のインバータ発振周波数）が、検出したリモコン信号の搬送周波数に影響を与えない周波数であると判断し（ステップＳ３２でＮｏ）、インバータ駆動部４が保持する最適なインバータ発振周波数（第一のインバータ発振周波数）を維持した（ステップＳ３４）後は、復調回路１５で復調されたリモコン信号の検出を行わず、インバータ駆動部４が保持する最適なインバータ発振周波数（第一のインバータ発振周波数）を維持することとしてもよい。
【００３５】
以上、本発明のバックライト駆動制御装置およびそのインバータ発振周波数制御方法によれば、検出したリモコン信号の搬送周波数に基づきインバータ発振周波数を制御するので、赤外線リモコンの搬送波の到達距離の不足を防止しつつ、インバータの変換効率の低下を軽減することが可能となる。
【産業上の利用可能性】
【００３６】
本発明に係るバックライト制御装置およびそのインバータ発振周波数制御方法は、高いリモコン感度と最適なインバータ効率を確保することができるので、インバータ発振周波数制御技術として有用である。
【符号の説明】
【００３７】
１    リモコン信号変換部
２    赤外線リモコン
３    制御部
４    インバータ駆動部
５    液晶パネルモジュール
６    蛍光管
１１    リモコン受光素子
１２    Ｉ−Ｖ変換回路
１３    アンプ
１４    ＢＰＦ
１５    復調回路
１６    積分回路
１７    比較器
１８    エミッタフォロワ回路
１００    バックライト駆動装置
【図１】
2012238526.tif 000003
【図２】
2012238526.tif 000004
【図３】
2012238526.tif 000005